(57)【特許請求の範囲】
【請求項１】
本体部の両端側から光を照射する表示装置において、
前記本体部の一方端側と他方端側とにそれぞれ設けられ、第一表示情報と第二表示情報との少なくとも一方を表示する二つの表示ユニットと、
前記一方端側に設けられた表示ユニットで表示された第一表示情報又は第二表示情報が前記他方端側から視認されることを妨げる遮蔽板と、
を備え、
前記表示ユニットは、前記第一表示情報を表示可能な第一導光板と、前記第一導光板の側面側に配置される複数の第一光源と、前記第二表示情報を表示可能であって、前記第一導光板よりも前記本体部の内側に配置される第二導光板と、前記第二導光板の側面側に配置される複数の第二光源と、を有し、
更に、前記本体部の一方端側に設けられた前記表示ユニットの前記第一光源を点灯する際には前記本体部の他方端側に設けられた前記表示ユニットの前記第一光源を点灯するとともに、前記本体部の両端側に設けられた前記表示ユニットの両方の前記第二光源を点灯せず、前記本体部の一方端側に設けられた前記表示ユニットの前記第二光源を点灯する際には、前記本体部の他方端側に設けられた前記表示ユニットの前記第二光源を点灯するとともに、前記本体部の両端側に設けられた前記表示ユニットの両方の前記第一光源を点灯しないように第一光源及び第二光源の点灯消灯を制御する制御ユニットを備える、
表示装置。
【請求項２】
前記第二光源は、前記第一光源とは異なる色で発光する光源である、
請求項１に記載の表示装置。
【請求項３】
前記第一表示情報は、前記第一導光板の主面に設けられた文字、記号、図形又はこれらの組み合わせからなり、
前記第二表示情報は、前記第二導光板の主面に設けられた前記第一表示情報とは異なる文字、記号、図形又はこれらの組み合わせからなる、
請求項１又は２に記載の表示装置。    
【請求項４】
前記第一表示情報及び前記第二表示情報は、複数の拡散ドットによって表され、
前記拡散ドットは、前記第一導光板の主面及び前記第二導光板の主面に配置される、
請求項１〜３のいずれか１項に記載の表示装置。
【請求項５】
請求項１〜４のいずれか１項に記載の表示装置において、
複数の前記第一光源が貼着された第一光源固定部材と、
複数の前記第二光源が貼着された第二光源固定部材と、
前記第一光源固定部材又は前記第二光源固定部材を前記表示ユニットに固定する金属製の固定部材と、
を備えた、
表示装置。
【請求項６】
前記第一光源固定部材及び前記第二光源固定部材は、熱媒介物質を介して前記固定部材とそれぞれ密着される、
請求項５に記載の表示装置。
【請求項７】
前記表示ユニットは、前記第一導光板及び前記第二導光板の主面の向きが変更可能に取り付けられている、
請求項１〜６のいずれか１項に記載の表示装置。
【請求項８】
前記本体部は、両端側に両端面を開閉する蓋部がそれぞれ設けられており、
前記蓋部は、前記第一導光板及び前記第二導光板を視認可能な窓を有する、
請求項１〜７のいずれか１項に記載の表示装置。
【請求項９】
前記蓋部は、両端部上面にそれぞれ外側方向に突出する突出部を更に有する、
請求項８に記載の表示装置。
【請求項１０】
前記窓は、反射防止ガラス、低反射ガラス及び無反射ガラスからなる群から選ばれる１又は２以上の組み合わせからなる、
請求項８又９に記載の表示装置。
【請求項１１】
二つの前記表示ユニットは、前記本体部に代えて前記蓋部にそれぞれ設けられている、
請求項８〜１０のいずれか１項に記載の表示装置。
【請求項１２】
前記遮蔽板は、前記第一導光板及び前記第二導光板のいずれよりも大きい、
請求項１〜１１のいずれか１項に記載の表示装置。
【請求項１３】
前記本体部は、底面又は側面に貫通孔を更に有する、
請求項１〜１２のいずれか１項に記載の表示装置。
【請求項１４】
前記第一光源は、赤色に発光する光源であり、
前記第二光源は、緑色に発光する光源である、
請求項１〜１３のいずれか１項に記載の表示装置。
【発明の詳細な説明】
【技術分野】
【０００１】
本発明は、表示装置に関する。
【背景技術】
【０００２】
従来、２種類（例えば、「切」と「入」）の状態を区別して表示する表示装置が知られている。このような表示装置としては、例えば、表示装置の一面側に設けられた導光板に、裏面側から赤色のランプ又は緑色のランプの光を照射することにより、照射されるランプの色によって２種類の状態を表示する表示装置が知られている。この表示装置では、予め点灯する色と状態を関連付けておくことで、例えば「入」の状態では赤色のランプを点灯し、「切」の状態では緑色のランプを点灯することにより、２種類の状態を区別して表示することができる。
【発明の概要】
【発明が解決しようとする課題】
【０００３】
しかしながら、このような表示装置を用いた場合には、色の異なる２種類のランプを導光板の裏面側に備える必要があるため、導光板と２種類のランプを配置できるだけの奥行きが必要となり、装置が大がかりになるという課題がある。特に、表示装置の両面側に表示しようとする場合には、２種類のランプを２組設け、それぞれ照射する必要があるため、装置が大がかりとなることに加え、重量が大きいという課題がある。加えて、遠方からの視認性を高めるためには、明るいランプを使用する必要があるため、コストが大きいという課題もある。
【０００４】
本発明は、このような課題に鑑みなされたものであり、遠方から視認した際に高い視認性を有し、小型で軽量な表示装置を提供することを主目的とする。
【課題を解決するための手段】
【０００５】
本発明は、上述の主目的を達成するために以下の手段を採った。
【０００６】
本発明の表示装置は、
本体部の両端側から光を照射する表示装置において、
前記本体部の一方端側と他方端側とにそれぞれ設けられ、第一表示情報と第二表示情報との少なくとも一方を表示する二つの表示ユニットと、
前記一方端側に設けられた表示ユニットで表示された第一表示情報又は第二表示情報が前記他方端側から視認されることを妨げる遮蔽板と、
を備え、
前記表示ユニットは、前記第一表示情報を表示可能な第一導光板と、前記第一導光板の側面側に配置される複数の第一光源と、前記第二表示情報を表示可能であって、前記第一導光板よりも前記本体部の内側に配置される第二導光板と、前記第二導光板の側面側に配置される複数の第二光源と、を有し、
更に、前記本体部の一方端側に設けられた前記表示ユニットの前記第一光源を点灯する際には前記本体部の他方端側に設けられた前記表示ユニットの前記第一光源を点灯するとともに、前記本体部の両端側に設けられた前記表示ユニットの両方の前記第二光源を点灯せず、前記本体部の一方端側に設けられた前記表示ユニットの前記第二光源を点灯する際には、前記本体部の他方端側に設けられた前記表示ユニットの前記第二光源を点灯するとともに、前記本体部の両端側に設けられた前記表示ユニットの両方の前記第一光源を点灯しないように第一光源及び第二光源の点灯消灯を制御する制御ユニットを備える、
ものである。
【０００７】
この表示装置では、本体部の一方端側と他方端側とに、第一表示情報を表示可能な第一導光板と、第二表示情報を表示可能な第二導光板と、を有する表示ユニットがそれぞれ設けられている。第一導光板の側面側には、複数の第一光源が配置されており、この第一光源に電力が供給されると、第一光源から第一導光板に光が照射され、第一表示情報が表示される。また、第二導光板の側面側には、複数の第二光源が配置されており、この第二光源に電力が供給されると、第二光源から第二導光板に光が照射され、第二表示情報が表示される。このように、第一光源を第一導光板の側面側に、第二光源を第二導光板の側面側にそれぞれ配置することにより、第一光源を第一導光板の裏面側に、第二光源を第二導光板の裏面側に、それぞれ配置する場合と比較して、より小型化することができる。また、遮蔽板が設けられているため、一方端側に設けられた表示ユニットで表示された第一表示情報又は第二表示情報が他方側から視認されることが妨げられる。こうすることにより、他方端側から一方端側の第一表示情報又は第二表示情報が視認されることを防ぎ、優れた美観を有する。また、本体部の一方端側に設けられた表示ユニットの第一光源を点灯する際には、本体部の他方端側に設けられた表示ユニットの第一光源を点灯するとともに、本体部の両端側に設けられた表示ユニットの両方の第二光源を点灯せず、本体部の一方端側に設けられた表示ユニットの第二光源を点灯する際には、本体部の他方端側に設けられた表示ユニットの第二光源を点灯するとともに、本体部の両端側に設けられた表示ユニットの両方の第一光源を点灯しないように第一光源及び第二光源の点灯消灯を制御することで、本体部の一方端側と他方端側の両端側に、同時に同じ情報を表示することができる。
【０００８】
本発明の表示装置は、
本体部の両端側から光を照射する表示装置において、 
前記本体部の一方端側と他方端側とに設けられた二つの表示ユニットと、 
二つの前記表示ユニットに電力を供給し、前記表示ユニットへの電力の供給を開始又は停止する電源ユニットと、 
を備え、 
前記表示ユニットは、第一表示情報を表示可能な第一導光板と、前記第一導光板の側面側に配置される複数の第一光源と、第二表示情報を表示可能であって、前記第一導光板よりも前記本体部の内側に配置される第二導光板と、前記第二導光板の側面側に配置される複数の第二光源と、を有し、
前記電源ユニットは、前記第一光源又は前記第二光源のいずれか一方を点灯する際には他方を点灯しない、 
ものである。
【０００９】
この表示装置では、本体部の一方端側と他方端側とに表示ユニットがそれぞれ設けられており、表示ユニットに電源ユニットから電力が供給されると、第一導光板又は第二導光板の側面側に配置された第一光源又は第二光源が発光し、第一導光板又は第二導光板に光が照射される。このとき、電源ユニットは第一光源又は第二光源のいずれか一方を点灯する際には他方を点灯しないため、第一導光板と第二導光板のいずれか一方にのみ光が照射されることになり、第一表示情報又は第二表示情報のいずれか一方のみが表示される。このように、第一光源を第一導光板の側面側に、第二光源を第二導光板の側面側にそれぞれ配置することにより、第一光源を第一導光板の裏面側に、第二光源を第二導光板の裏面側に、それぞれ配置する場合と比較して、より小型化することができる。また、第二導光板よりも本体部の内側方向には暗色の遮蔽板が設けられているため、外部から第一導光板又は第二導光板を介して本体部の内部が視認されることを防ぎ、優れた美観を与えることができる。なお、ここで暗色とは、明度が低い色を意味し、例えば、黒色、灰色、濃緑色、濃青色等の色を意味する。
【００１０】
本発明の表示装置は、前記本体部の一方端側に設けられた前記表示ユニットの前記第一光源を点灯する際には、前記本体部の他方端側に設けられた前記表示ユニットの前記第一光源を点灯するとともに、前記本体部の両端側に設けられた表示ユニットの両方の前記第二光源を点灯せず、前記本体部の一方端側に設けられた前記表示ユニットの前記第二光源を点灯する際には、前記本体部の他方端側に設けられた前記表示ユニットの前記第二光源を点灯するとともに、前記本体部の両端側に設けられた前記表示ユニットの両方の前記第一光源を点灯しないように第一光源及び第二光源の点灯消灯を制御する制御ユニットと、を備えていてもよい。こうすれば、本体部の一方端側と他方端側の両端側に、同時に同じ情報を表示することができる。
【００１１】
本発明の表示装置において、前記第二光源は、前記第一光源とは異なる色で発光する光源であってもよい。こうすれば、第一導光板と第二導光板とが同一のものであっても、第一光源から照射される光と第二光源から照射される光の色により、異なる状態を表示することができる。
【００１２】
本発明の表示装置において、前記第一表示情報は、前記第一導光板の主面に設けられた文字、記号、図形又はこれらの組み合わせからなり、前記第二表示情報は、前記第二導光板の主面に設けられた前記第一表示情報とは異なる文字、記号、図形又はこれらの組み合わせからなる、ものであってもよい。こうすれば、第一表示情報と第二表示情報とによって、それぞれ異なる情報を表示することができる。
【００１３】
本発明の表示装置において、前記第一表示情報及び前記第二表示情報は、複数の拡散ドットによって表され、前記拡散ドットは、前記第一導光板の主面及び前記第二導光板の主面に配置されてもよい。こうすれば、複数の拡散ドットを設けるという簡単な工程により、第一表示情報及び第二表示情報を表示することができる。このとき、第二導光板よりも本体部の内側には遮蔽板が設けられているため、複数の拡散ドットで表される第二表示情報の境界部分が、遮蔽板を有していない場合と比較して、より明確にすることができる。言い換えると、第二表示情報の視認性を高めることができる。なお、第一光源が点灯されて第一表示情報が表示されている際には、第二光源は消灯され、第二表示情報は表示されないため、第二表示情報の場合と同様に、第一表示情報についても、遮蔽板により第一表示情報の視認性を高めることができる。
【００１４】
本発明の表示装置は、複数の前記第一光源が貼着された第一光源固定部材と、複数の前記第二光源が貼着された第二光源固定部材と、前記第一光源固定部材又は前記第二光源固定部材を前記表示ユニットに固定する金属製の固定部材と、を備えていてもよい。こうすれば、第一光源又は第二光源が発光する際に生じた熱が、第一光源固定部材及び第二光源固定部材だけでなく、固定部材からも放熱することができる。加えて、固定部材を介して表示ユニットの他の部材にまで熱が伝わった場合には、更に広範囲から放熱することができる。このため、第一光源固定部材又は第二光源固定部材が固定部材で表示ユニットに固定されていない場合と比較して、第一光源又は第二光源で発生した熱をより効率よく放熱することができ、熱による第一光源又は第二光源の誤作動や破損の可能性を未然に低減することができる。
【００１５】
この態様を採用した本発明の表示装置において、前記第一光源固定部材及び前記第二光源固定部材は、熱媒介物質を介して前記固定部材とそれぞれ密着されていてもよい。こうすれば、熱媒介物質を有しない場合と比較して、第一光源固定部材及び第二光源固定部材から固定部材に熱を伝わりやすくすることができるため、より放熱効果が上昇し、熱による第一光源又は第二光源の誤作動や破損の可能性を未点に低減することができる。なお、ここで熱媒介物質とは、ＴＩＭ（Ｔｈｅｒｍａｎｌ  Ｉｎｔｅｒｆａｃｅ  Ｍａｔｅｒｉａｌ）を意味し、例えば、シリコーンゴムや種々の樹脂にアルミナ等の熱伝導フィラーを添加したもの等を含む意味である。
【００１６】
本発明の表示装置において、前記表示ユニットは、前記第一導光板及び前記第二導光板の主面の向きが変更可能に取り付けられていてもよい。こうすれば、第一導光板又は第二導光板の主面の向き上下左右のいずれかの方向に向かせることで、上下左右のいずれかの方向からの視認性を高めることができる。なお、主面の向きが変更可能に取り付ける方法としては、例えば、表示装置の上方側を回動可能に本体部に取り付けて主面の下方側を所定方向に押圧可能に取り付けてもよい。
【００１７】
本発明の表示装置において、前記本体部は、両端側に両端面を開閉する蓋部がそれぞれ設けられており、前記蓋部は、前記第一導光板及び前記第二導光板を視認可能な窓を有していてもよい。こうすれば、蓋部によって本体部の内側と外側とが区別されるため、屋外に配置した場合であっても、雨や塵等によって本体部の内部が汚染される可能性を未然に低減し、故障や誤作動の可能性を未然に低減することができる。また、蓋部によって外からの光が遮られ、第一導光板及び第二導光板の周囲が暗くなるため、第一光源又は第二光源を点灯した際の周囲とのコントラストが明確になり、視認性を向上することができる。
【００１８】
この態様を採用した本発明の表示装置において、前記蓋部は、両端部上面にそれぞれ外側方向に突出する突出部を更に有してもよい。こうすれば、例えば、日中の屋外に配置した場合であっても、外側方向に突出した突出部によって日光が遮られ、導光板に日光が当たり反射することにより、視認しにくくなる可能性を未然に低減することができる。
【００１９】
本発明の表示装置において、前記窓は、反射防止ガラス、低反射ガラス及び無反射ガラスからなる群から選ばれる１又は2以上の組み合わせからなるものであってもよい。こうすれば、窓が通常のガラスである場合と比較して、窓表面での反射を低減し、第一導光板及び第二導光板の視認性を向上することができる。
【００２０】
本発明の表示装置において、二つの前記表示ユニットは、前記本体部に代えて前記蓋部にそれぞれ設けられていてもよい。こうすれば、本体部の内部に表示ユニットが設けられている場合と比較して、窓と表示ユニットに設けられた第一導光板及び第二導光板との距離を短くすることができる。
【００２１】
本発明の表示装置において、前記遮蔽板は、前記第一導光板及び前記第二導光板のいずれよりも大きくともよい。こうすれば、外から視認した際には、第一導光板及び第二導光板の裏面側は遮蔽板により目隠しされることになるため、第一導光板又は第二導光板を介して表示装置の内部が視認されることを妨げ、より美観に優れる。また、第一導光板及び第二導光板の裏面側に遮蔽板が設けられことにより、遮蔽板を有しない場合と比較して、より第一導光板に設けられた第一表示情報及び第二導光板に設けられた第二表示情報を視認しやすい。
【００２２】
本発明の表示装置において、前記本体部は、底面又は側面に貫通孔を更に有していてもよい。こうすれば、光源からの発熱等により内部が高温になったり、冬場に屋外に配置することにより外気が低温になったりした場合であっても、この貫通孔を介した温度調節が可能であり、本体部の内部が結露する可能性を未然に低減することができる。また、降雨等により内部に水が浸入した場合であっても、この貫通孔から外部に排出することができるため、内部に水が溜まる可能性を未然に低減することができる。言い換えると、結露による水滴等が本体部の内部の電子機器等に悪影響を与えたり、故障させたりする可能性を未然に低減することができる。
【００２３】
本発明の表示装置において、前記第一光源は、赤色に発光する光源であり、前記第二光源は、緑色に発光する光源であってもよい。こうすれば、赤色は危険性が高いことを、緑色は安全性が高いことを、それぞれ表示することが社会的に認知されているため、色の変化により表示装置によって表示される表示の内容を直感的に判断することができる。このため、安全確認が重要な場所に表示装置を配置する場合に、視認者の誤判断による事故の可能性を未然に低減することができる。
【図面の簡単な説明】
【００２４】
【図１】表示装置２０の外観の概略を示す斜視図である。
【図２】表示ユニット５０の構成の概略を示す斜視図である。
【図３】表示ユニット５０の構成の一部を示す分解斜視図である。
【図４】一面側の蓋部４０を取り外した表示装置２０の外観の概略を示す斜視図である。
【図５】表示装置２０の構成の概略を示す断面図である。
【図６】他の実施の形態の表示装置１２０の構成の概略を示す斜視図である。
【図７】他の実施の形態の表示装置１２０の構成の概略を示す断面図である。
【図８】蓋部４０の一部を切り欠いた表示装置２０の他の構成の概略を示す斜視図である。
【図９】表示装置１２０の他の構成の概略を示す断面図である。
【図１０】他の実施の形態の表示ユニット２５０の構成の概略を示す分解斜視図である。
【発明を実施するための形態】
【００２５】
ここで、上記簡単に説明した図面に基づいて、本発明を実施するための第一の形態を説明するにあたり、本実施の形態の構成要素と本発明の構成要素との対応関係を明らかにする。本実施の形態の表示装置２０、表示装置１２０が本発明の表示装置に相当し、本体部３０及び本体部１３０が本体部に相当し、表示ユニット５０及び表示ユニット１５０が表示ユニットに相当し、第一ＬＥＤ５１ａが第一光源に相当し、第一導光板５４が第一導光板に相当し、第二ＬＥＤ５５ａが第二光源に相当し、第二導光板５８が第二導光板に相当し、ＬＥＤ固定部材５２が第一光源固定部材及び第二光源固定部材に相当し、遮蔽板５９が遮蔽板に相当し、第一固定部材６２及び第二固定部材６４が固定部材に相当し、「入」が第一表示情報に相当し、「切」が第二表示情報に相当し、第一拡散ドット５３及び第二拡散ドット５７が拡散ドットに相当し、蓋部４０及び蓋部１４０が蓋部に相当し、空気孔３４が貫通孔に相当し、庇部４６が突出部に相当し、制御ユニット７０が制御ユニット及び電源ユニットにそれぞれ相当する。
【００２６】
次に、図１〜図５を用いて、本発明の第一の実施の形態として、表示装置２０の構成を詳しく説明する。ここで、図１は、本発明の実施の形態の一例である表示装置２０の構成の概略を示す斜視図である。本発明の実施の形態の表示装置２０は、本体部３０と、本体部３０の両端に設けられた蓋部４０と、本体部３０の内部に取り付けられた表示ユニット５０と（図２参照）、表示ユニット５０に電力を供給する制御ユニット７０と（図４及び図５参照）、を備えている。
【００２７】
本体部３０は、図１に示すように、金属製の略直方体形状の枠体であり、正面側の蓋部４０は、一方側面側（図１中、左側面側）に設けられた２つの止め部材３６によって開閉可能に取り付けられている。また、裏面側の蓋部４０は、他方側面側（図１中、右側面側）に設けられた二つの図示しない止め部材により、正面側の蓋部４０と同様に開閉可能に取り付けられている。こうすることにより、蓋部４０は常に右側に開くことができるため、正面側及び背面側のいずれの蓋部４０を開閉する際にも、同一の操作で開閉することができる。また、本体部３０の底面側には、底面を貫通する貫通孔が空気孔３４及び電源貫通孔３８（図５参照）として設けられている。このように空気孔３４を下面側に設けることにより、本体部３０が野外に配置された場合であっても、雨等が本体部３０の内側に侵入する可能性を未然に低減しつつ、本体部３０の内部から水蒸気等による湿気を外部に排出することができる。また、仮に雨等が本体部３０の内側に侵入した場合であっても、底面側に設けられている空気孔３４又は電源貫通孔３８から排出されることになるため、内部に水が溜まる可能性を未然に低減することができる。加えて、電源貫通孔３８を下面側に設けることにより、本体部３０が屋外に配置された場合であっても、雨等が本体部３０の内部に侵入する可能性を未然に低減しつつ、制御ユニット７０と図示しない外部電源とを接続する図示しない電源ケーブルを本体部３０の内部に導入することができる。なお、空気孔３４及び電源貫通孔３８は、カバー等で覆われていても良い。こうすれば、本体部３０が屋外に配置された場合であっても、より雨等の本体部３０の内部に侵入する可能性を未然に低減しつつ、埃等が本体部３０の内部に侵入する可能性も未然に低減することができる。
【００２８】
蓋部４０は、図１に示すように、金属製の略直方体形状の部材であり、正面４２の中央部に略矩形形状のガラス製の窓４４を有し、正面４２の外周部には、突出した庇部４６が設けられている。この蓋部４０が本体部３０に閉鎖状態で固定された際には、蓋部４０の正面４２が下方向に向いて傾斜した状態で本体部３０に固定されるため、表示装置２０を屋外に設定した際に、太陽光が窓４４に照射され、窓４４によって反射することにより、後述する第一導光板５４又は第二導光板５８が視認しにくくなる可能性を未然に低減することができる。このとき、庇部４６は上面側だけでなく、側面側にも設けられているため、朝方や夕方など、太陽光が低い角度から窓４４に当たる際も、同様に第一導光板５４又は第二導光板５８が視認しにくくなる可能性を未然に低減することができる。
【００２９】
表示ユニット５０は、図２に示すように、第一導光板５４等が第一固定部材６２及び第二固定部材６４によって四方から放熱板６０に固定されてなる部材であり、図３に示すように、第一ＬＥＤ５１ａを複数有する第一ＬＥＤ基板５１が周囲に配置された第一導光板５４と、第二ＬＥＤ５５ａを複数有する第二ＬＥＤ基板５５が周囲に配置された第二導光板５３と、表面が黒色に塗装された遮蔽板５９と、が略平行に配置された状態で固定されてなる。
【００３０】
第一ＬＥＤ５１ａは、正面発光型の赤色の発光ダイオードである。この第一ＬＥＤ５１ａは、図３に示すように、第一ＬＥＤ基板５１の表面に直線状に配置されており、第一ＬＥＤ基板５１を介して略Ｕ字形状の断面を有するＬＥＤ固定部材５２の底面に図示しない両面テープで貼着されている。このＬＥＤ固定部材５２は、第一導光板５４の上方側面、下方側面、右方側面及び左方側面にそれぞれ嵌め込まれ、第一ＬＥＤ５１ａを第一導光板５４の側面に対向する位置に固定する。こうすることにより、第一導光板５４の側面に光を照射することができる。また、第一ＬＥＤ基板５１はＬＥＤ固定部材５２に貼着されているため、第一ＬＥＤ５１ａが発光する際に発生した熱は、第一ＬＥＤ基板５１を介して金属製のＬＥＤ固定部材５２に伝わり、ＬＥＤ固定部材５２に貼着されていない場合と比較して、より第一ＬＥＤ５１ａで発生した熱を逃がすことができ、発熱により第一ＬＥＤ５１ａが故障する可能性を未然に低減することができる。このとき、第一ＬＥＤ５１ａ及び第一ＬＥＤ基板５１の表面にエポキシ樹脂等をポッティングしてもよいし、基板全体を完全に密封コーティングしても良いし、シリコンチューブ等に封入しても良い。こうすることにより、仮に表示装置２０の内部で結露が生じたり、雨滴等が表示装置２０の内部に侵入した場合であっても、第一ＬＥＤ５１ａが故障したり誤作動したりする可能性を未然に低減することができる。
【００３１】
第一導光板５４は、厚さが約４ミリメートルから約８ミリメートルの透過性を有するメタクリル樹脂製の板状部材であり、側面から入射された光を拡散する複数の第一拡散ドット５３が主面に設けられている。この複数の第一拡散ドット５３は、図３に示すように、「入」という文字を形成する位置に設けられている。このため、第一ＬＥＤ５１ａから第一導光板５４に照射された赤色の光が複数の第一拡散ドット５３によって拡散されることにより、「入」という文字が赤色で表示されることになる。こうすることにより、赤色の持つイメージにより危険であることを直感的に想起させつつ、「入」という文字により入っている（接続されている）ことを伝えることができる。
【００３２】
ここで、第一拡散ドット５３について、更に詳しく説明する。第一拡散ドット５３は、略四角錐形状に凹む凹部であり、四角錐の底面に相当する面が内側（本体部３０の内側であって制御ユニット７０に近い側）に位置するように第一導光板５４の一方主面に複数設けられている。こうすることにより、第一拡散板５４の側面から入射した光は、主に主面の外側方向（窓４４の方向）に拡散されることになるため、主面の外側（窓４４の方向）に設けられている場合と比較して、より明るい。また、この四角錐の各辺の長さは、１．８ミリメートル〜２．０ミリメートルに設けられ、深さは０．４ミリメートル〜０．８ミリメートルの大きさで、全て同一の大きさに設けられている。また、隣り合う第一拡散ドット５３間のピッチは、１．０ミリメートル〜３．０ミリメートルの間隔で、全て同一のピッチで設けられている。このような形状で第一拡散ドット５３を形成することにより、第一ＬＥＤ５１ａから照射された光が第一導光板５４から照射される際に、十分な明るさとなり、昼間に屋外に配置された場合であっても、遠方から視認することができる。なお、ここで遠方とは、少なくとも５０メートル以上離れた位置であり、１００メートル以上離れた位置であることが好ましい。
【００３３】
第二ＬＥＤ５５ａは、正面発光型の緑色の発光ダイオードである。この第二ＬＥＤ５５ａは、図３に示すように、第二ＬＥＤ基板５５の表面に直線状に配置されており、第二ＬＥＤ基板５５を介して略Ｕ字形状の断面を有するＬＥＤ固定部材５２の底面に図示しない両面テープで貼着されている。このＬＥＤ固定部材５２は、第二導光板５８の上方側面、右方側面及び左方側面にそれぞれ嵌め込まれ、第二ＬＥＤ５５ａを第二導光板５８の側面に対向する位置に固定する。こうすることにより、第二導光板５８の側面に光を照射することができる。また、第二ＬＥＤ基板５５はＬＥＤ固定部材５２に貼着されているため、第二ＬＥＤ５５ａが発光する際に発生した熱は、第二ＬＥＤ基板５５を介して金属製のＬＥＤ固定部材５２に伝わり、ＬＥＤ固定部材５２に貼着されていない場合と比較して、より第二ＬＥＤ５５ａで発生した熱を逃がすことができ、発熱により第二ＬＥＤ５５ａが故障する可能性を未然に低減することができる。なお、第二ＬＥＤ基板５５及び第二ＬＥＤ５５ａについても、第一ＬＥＤ５１ａ及び第一ＬＥＤ基板５１と同様に、防水又は防滴処理が施されていても良い。こうすることで、第二ＬＥＤ５５ａが故障したり誤作動したりする可能性を未然に低減することができる。
【００３４】
第二導光板５８は、主面の「切」という文字を形成する位置に第二拡散ドット５７が形成されていること以外は、第一導光板５４と同様であるため、ここでは説明を省略する。この第二導光板５８に第二ＬＥＤ５５ａから光が照射されると、緑色の光が複数の第二拡散ドット５７によって拡散されることにより、「切」という文字が緑色で表示されることになる。こうすることにより、緑色の持つイメージにより安全であることを直感的に想起させつつ、「切」という文字により切れている（接続されていない）ことを伝えることができる。なお、第二拡散ドット５７の形状については、第一拡散ドット５３と同様であるため、ここでは説明を省略する。
【００３５】
遮蔽板５９は、表面が黒色の板状部材であり、図３に示すように、第二導光板５８よりも裏面側（本体部３０の内側であって制御ユニット７０に近い側）に取り付けられている。この遮蔽板５９は、第一導光板５４及び第二導光板５８よりもやや大きな大きさである。このため、外部から第一導光板５４又は第二導光板５８を見た場合には、遮蔽板５９によって視線が遮られ、本体部３０の内部（例えば、制御ユニット７０等）が見られることが無い。このため、美観に優れる。また、遮蔽板５９の表面は暗色であるため、第一導光板５４又は第二導光板５８を光らせた際に、「入」又は「切」の文字の輪郭が、表面が白色である場合と比較して、よりはっきりと見える。このため、遠くから見た場合であっても、視認性が高い。なお、遮蔽板５９表面の色は、黒色に限定されるものではなく、例えば、灰色や濃緑色、濃青色等の暗色であっても良いし、遮蔽板５９は無くても良い。
【００３６】
表示ユニット５０は、図２に示すように、これらの部材が放熱板６０に固定されることにより構成される。具体的には、Ｌ字形状の金属製部材である第一固定部材６２により、第一導光板５４及び第二導光板５８の上方及び下方に配置されたＬＥＤ固定部材５２と遮蔽板５９とを上方及び下方から固定する。同時に、Ｚ型鋼と同様の断面形状を有する第二固定部材６４により、第一導光板５４及び第二導光板５８の右方及び左方に配置されたＬＥＤ固定部材５２と遮蔽板５９とを左右方向から固定すると共に、第一導光板５４の表面側を押圧する。こうすることにより、第一固定部材６２と第二固定部材６４とによって放熱板６０に強固に固定することができ、外部からの衝撃や振動が加えられた場合であっても、表示ユニット５０が故障したり破損したりする可能性を未然に低減することができる。このとき、第一固定部材６２又は第二固定部材６４とＬＥＤ固定部材５２とは、ＴＩＭ（Ｔｈｅｒｍａｌ  Ｉｎｔｅｒｆａｃｅ  Ｍａｔｅｒｉａｌ，例えば、北川工業株式会社製  クールプロバイド  ＣＰＶＳ−Ｆ（「クールプロバイド」は、北川工業株式会社の登録商標））を介して密着される。こうすることにより、ＴＩＭを介しない場合と比較して、第一ＬＥＤ５１ａ又は第二ＬＥＤ５５ａによって発生した熱がＬＥＤ固定部材５２から第一固定部材６２へと伝わりやすくなる。言い換えると、第一ＬＥＤ５１ａ又は第二ＬＥＤ５５ａの放熱効果をより向上させることができる。
【００３７】
ここで、表示ユニット５０を本体部３０に固定する固定方法について、図４を用いて詳しく説明する。ここで、図４は、表示装置２０から一面側の蓋部４０を取り外した状態を示す斜視図である。図４に示すように、表示ユニット５０は、一端側に設けられたヒンジ６５を介して本体部３０に開閉可能に取り付けられている。具体的には、ヒンジ６５と第三固定部材６８との間に表示ユニット５０の放熱板６０が図示しないビスによって固定されている。放熱板６０は第三固定部材６８にビス６７によって固定されているため、ビス６７を外して回動することで開閉可能することができる。こうすることにより、表示ユニット５０の裏面側（本体部３０の中心側であって、表示ユニット５０と表示ユニット５０との間の位置）に制御ユニット７０を配置した場合であっても、容易に制御ユニット７０を操作することができる。このとき、ヒンジ６５は本体部３０の内側側面に溶接された図示しないＣ型鋼に溶接されており、Ｚ型鋼と同様の断面形状を有する第三固定部材６８も本体部３０の内側側面に溶接されているため、表示ユニット５０が本体部３０の内側側面に強固に固定されることになる。こうすることにより、外部から振動が与えられた際に表示ユニット５０が振動したり共振したりする可能性を未然に防止することができる。
【００３８】
制御ユニット７０は、図５に示すように、本体部３０の両端側に設けられた表示ユニット５０と表示ユニット５０との間の位置に取り付けられ、外部から供給された電力を本体部３０の両端側に設けられた表示ユニット５０にそれぞれ供給する。このとき、制御ユニット７０の回路には、複数の継電器（リレー）が設けられている。このリレーを、本体部３０に設けられた図示しないスイッチ又は本体部３０に電気的に接続された外部スイッチの切り替えや、外部からの電気的な信号等により切り替えることで、二つの第一ＬＥＤ５１ａ又は二つの第二ＬＥＤ５５ａのいずれかに電力を供給することができる。このため、本体部３０に設けられた両方の第一ＬＥＤ５１ａに電力が供給される際には、いずれの第二ＬＥＤ５５ａにも電力が供給されない。一方、両方の第二ＬＥＤ５５ａに電力が供給される際には、いずれの第一ＬＥＤ５１ａにも電力は供給されない。こうすることにより、本体部３０の両側に設けられた第一ＬＥＤ５１ａ又は第二ＬＥＤ５５ａのいずれかに電力が供給されることになり、第一導光板５４又は第二導光板５８のいずれかに光が照射される。このため、「切」又は「入」のいずれかの情報を、本体部３０の両側方向に表示することができる。なお、制御ユニット７０も第一ＬＥＤ５１ａ及び第一ＬＥＤ基板５１と同様に、防水又は防滴処理が施されていても良い。こうすることにより、仮に表示装置２０の内部で結露が生じたり、雨滴等が表示装置２０の内部に侵入した場合であっても、制御ユニット７０が故障したり誤作動したりする可能性を未然に低減することができる。
【００３９】
以上詳述した第一の形態の表示装置２０によれば、第一導光板５４及び第二導光板５８を備えた表示ユニット５０が本体部３０の両端側にそれぞれ設けられており、制御ユニット７０から供給された電力により、第一導光板５４の側面側に設けられた第一ＬＥＤ５１ａ又は第二導光板５８の側面側に設けられた第二ＬＥＤ５５ａのいずれかが点灯する。このとき、第一ＬＥＤ５１ａは第一導光板５４の側面に配置され、第二ＬＥＤ５５ａは第二導光板５８の側面に配置されているため、第一導光板５４又は第二導光板５８の裏面側に第一ＬＥＤ５１ａ又は第二ＬＥＤ５５ａが配置される場合と比較して、より小型化することができる。
【００４０】
また、第一ＬＥＤ５１ａは赤色のＬＥＤであり、第二ＬＥＤ５５ａは緑色のＬＥＤであるため、表示装置２０による表示を色の変化で表すことができる。このとき、赤色は危険性が高いことを一般的に意味し、緑色は安全性が高いことを一般的に意味することが多いため、赤色と緑色を用いることで、視認者に対して安全性を直感的に伝えることができる。
【００４１】
更に、制御ユニット７０は、一方端側と他方端側に設けられた第一ＬＥＤ５１ａ又は第二ＬＥＤ５５ａを同時に点灯又は消灯するため、一方端側と他方端側の両方に同じ情報を表示することができる。
【００４２】
更にまた、第一導光板５４の主面には「入」の文字が表されており、第二導光板５８の主面には「切」の文字が表されているため、「入」と「切」の二つの情報をそれぞれ表示することができる。
【００４３】
そして、「入」又は「切」の文字は、複数の第一拡散ドット５３又は複数の第二拡散ドット５７でそれぞれ表されており、第二導光板５８よりも内側に黒色の遮蔽板５９が設けられているため、遮蔽板５９が設けられていない場合と比較して、「入」又は「切」の文字の輪郭をより明確にすることができる。
【００４４】
そしてまた、ＬＥＤ固定部材５２が第一固定部材６２及び第二固定部材６４によって固定されているため、第一ＬＥＤ５１ａ又は第二ＬＥＤ５５ａで発生した熱がＬＥＤ固定部材５２を経て第一固定部材及び第二固定部材６４に伝わる。このため、第一ＬＥＤ５１ａ及び第二ＬＥＤ５５ａの放熱効率を向上させることができ、熱による故障や誤作動の可能性を未然に低減することができる。
【００４５】
そして更に、ＬＥＤ固定部材５２と第一固定部材６２又は第二固定部材６４とは、ＴＩＭを介して密着されているため、ＴＩＭを有しない場合と比較して、より第一ＬＥＤ５１ａ及び第二ＬＥＤ５５ａの放熱効率を向上させることができ、熱による故障や誤作動の可能性を未然に低減することができる。
【００４６】
そして更にまた、遮蔽板５９の大きさは第一導光板５４及び第二導光板５８のいずれよりも大きく、制御ユニット７０は、表示ユニット５０と表示ユニット５０との間の位置に設けられているため、遮蔽板５９により、第一導光板５４又は第二導光板５８を介して、制御ユニット７０が視認されることが無い。こうすることにより、美観に優れる。
【００４７】
加えて、本体部３０の下面に空気孔３４が設けられているため、本体部３０内部の水蒸気等を外部に排出することができ、本体部３０内で結露が生じる可能性を未然に低減することができる。同時に、仮に、降雨等により内部に水が浸入した場合であっても、外部に排出することができるため、内部に水が溜まる可能性を未然に低減することができる。また、本体部３０の下面に設けられているため、屋外に設置された場合であっても、雨等が本体部３０の内部に侵入する可能性を未然に低減することができる。言い換えると、結露等の水が原因による電子部品の誤作動や故障が生じる可能性を未然に低減することができる。
【００４８】
加えてまた、蓋部４０に庇部４６が設けられているため、日中の屋外に配置した場合であっても、窓４４に太陽等の光が当たることで光が反射し、第一導光板５４又は第二導光板５８が見えにくくなる可能性を未然に低減することができる。
【００４９】
次に、本発明の第二の実施の形態における表示装置１２０の構成の概略について、図６及び図７を用いて詳しく説明する。ここで、図６は、表示装置１２０の構成の概略を示す斜視図であり、図７は図６中のＡ−Ａ断面を示す断面図である。第二の実施の形態の表示装置１２０は、本体部１３０と、本体部１３０の両端に設けられた蓋部１４０と、本体部１３０の内部に取り付けられた表示ユニット１５０と（図７参照）、表示ユニット１５０の角度を調節する角度調節部材１６０と（図７参照）、表示ユニット１５０に電力を供給する制御ユニット７０と（図７参照）、を備えている。
【００５０】
本体部１３０は、図６に示すように、金属製の略直方体形状の枠体であり、上面の端部にそれぞれ２つ設けられたヒンジ１３２と、一方側面（図６中、手前側の側面）に設けられた複数の空気孔３４と、を備えている。この本体部１３０の両端側には、ヒンジ１３２によって蓋部１４０がそれぞれ開閉可能に取り付けられており、蓋部１４０が閉状態の際には、本体部１３０の下部に設けられた止め部材１３６（図７参照）によって本体部１３０に固定される。また、本体部１３０の一方側面に設けられた複数の空気孔３４は、本体部１３０の一方側面を貫通する貫通孔であり、下面側が開放された空気孔カバー３５によって覆われている。このため、本体部１３０が屋外に配置された場合であっても、降雨や側面側からの塵やゴミ等が本体部１３０の内側に侵入する可能性を未然に低減しつつ、本体部１３０の水蒸気等による湿気を外部に排出することができる。なお、本体部１３０の他方側面には、制御ユニット７０と図示しない外部電源とを接続する図示しない電源ケーブルが通過可能な電源貫通孔３８が設けられており、空気孔３４と同様に、図示しない貫通孔カバーによって覆われている（図７参照）。
【００５１】
蓋部１４０は、図６に示すように、金属製の略直方体形状の部材であり、正面４２の中央部に略矩形形状のガラス製の窓４４を有し、正面４２の外周部には、突出した庇部４６が設けられている。この蓋部４０が本体部３０に閉鎖状態で固定された際には、蓋部４０の正面４２が下方向に向いて傾斜した状態で本体部３０に固定されるため、表示装置２０を屋外に設定した際に、太陽光が窓４４に照射され、窓４４によって反射することにより、後述する第一導光板５４又は第二導光板５８が視認しにくくなる可能性を未然に低減することができる。このとき、庇部４６は上面側だけでなく、側面側にも設けられているため、朝方や夕方など、太陽光が低い角度から窓４４に当たる際も、同様に第一導光板５４又は第二導光板５８が視認しにくくなる可能性を未然に低減することができる。
【００５２】
表示ユニット１５０は、図７に示すように、第一ＬＥＤ５１ａを複数有する第一ＬＥＤ基板５１が周囲に配置された第一導光板５４と、第二ＬＥＤ５５ａを複数有する第二ＬＥＤ基板５５が周囲に配置された第二導光板５３と、表面が黒色に塗装された遮蔽板５９と、が略平行に配置された状態で固定されている。この表示ユニット１５０は、図８に示すように、蓋部１４０の内側面に上面側が回動可能に取り付けられており、下面側は後述する角度調節部材１６０と当節している。このため、後述する角度調節部材１６０を用いて表示ユニット１５０の角度を変更すると、第一導光板５４、第二導光板５８及び遮蔽板５９をそれぞれ略平行に保ったまま、角度を変更することができる。こうすることにより、第一導光板５４、第二導光板５８及び遮蔽板の角度をそれぞれ変更する場合と比較して、角度を変更する際の労力を低減することができる。なお、表示ユニット１５０を蓋部１４０に回動可能に取り付ける方法は、例えば、回動軸を用いる等、公知の種々の方法で取り付けることができる。なお、第一ＬＥＤ５１ａ、第二ＬＥＤ５５ａ、ＬＥＤ固定部材５２、第一導光板５４、第二導光板５８、遮蔽板５９及び制御ユニット７０は、第一の実施の形態と同様であるため、同様の符番を付し、ここでは説明を省略する。
【００５３】
角度調節部材１６０は、図７に示すように、中央が膨らんだ略円柱形状の部材であり、一端側に螺旋溝１６２が、中央部に把持部１６４が、他方端側に押圧部１６６が、それぞれ設けられている。この角度調節部材１６０は、蓋部１４０の下方に設けられた螺旋孔と螺合しており、蓋部１４０が本体部１３０に閉じられた際に、押圧部１６６が表示ユニット１５０の下方表面と押圧部１６６とが当接するように設けられている。このため、角度調節部材１６０を回転させることにより、押圧部１６６を蓋部１４０から遠ざかる方向に移動させると、蓋部１４０が本体部１３０に閉じられるに伴って押圧部１６６が表示ユニット１５０の下方側を押圧する。この状態で蓋部１４０を本体部１３０に閉じた状態で固定することにより、表示ユニット１５０も押圧部１６６が押圧した状態となり、表示ユニット１５０が傾斜した状態（下方が内側方向に傾斜した状態）を保つことができる。なお、表示ユニット１５０の傾斜を緩くする為には、角度調節部材１６０を反対方向に回転させることにより、押圧部１６６が蓋部１４０に近づく方向に移動させればよい。
【００５４】
以上詳述した第二の形態の表示装置１２０によれば、第一導光板５４及び第二導光板５８を備えた表示ユニット５０が本体部１３０の両端側にそれぞれ設けられており、制御ユニット７０から供給された電力により、第一導光板５４の側面側に設けられた第一ＬＥＤ５１ａ又は第二導光板５８の側面側に設けられた第二ＬＥＤ５５ａのいずれかが点灯する。このとき、第一ＬＥＤ５１ａは第一導光板５４の側面に配置され、第二ＬＥＤ５５ａは第二導光板５８の側面に配置されているため、第一導光板５４又は第二導光板５８の裏面側に第一ＬＥＤ５１ａ又は第二ＬＥＤ５５ａが配置される場合と比較して、より小型化することができる。
【００５５】
また、第一ＬＥＤ５１ａは赤色のＬＥＤであり、第二ＬＥＤ５５ａは緑色のＬＥＤであるため、表示装置１２０による表示を色の変化で表すことができる。このとき、赤色は危険性が高いことを一般的に意味し、緑色は安全性が高いことを一般的に意味することが多いため、赤色と緑色を用いることで、視認者に対して安全性を直感的に伝えることができる。
【００５６】
更に、制御ユニット７０は、一方端側と他方端側に設けられた第一ＬＥＤ５１ａ又は第二ＬＥＤ５５ａを同時に点灯又は消灯するため、一方端側と他方端側の両方に同じ情報を表示することができる。
【００５７】
更にまた、第一導光板５４の主面には「入」の文字が表されており、第二導光板５８の主面には「切」の文字が表されているため、「入」と「切」の二つの情報をそれぞれ表示することができる。
【００５８】
そして、「入」又は「切」の文字は、複数の第一拡散ドット５３又は複数の第二拡散ドット５７でそれぞれ表されており、第二導光板５８よりも内側に黒色の遮蔽板５９が設けられているため、遮蔽板５９が設けられていない場合と比較して、「入」又は「切」の文字の輪郭をより明確にすることができる。
【００５９】
そして、表示ユニット５０は、蓋部４０の上面側が回動可能に取り付けられており、下面側が押圧部１６６によって本体部３０の内側方向に押圧されることにより、表示ユニット５０の角度を所望の角度に調節し、第一導光板５４及び第二導光板５８の主面の向きを所望の方向に向けることができる。こうすることにより、例えば、表示ユニット５０の斜め下方向に向けることにより、屋外等の明るい場所に設置した場合であっても、第一導光板５４及び第二導光板５８が見えにくくなる可能性を未然に低減することができる。また、下方から視認した際に、視認性を向上することができる。
【００６０】
そしてまた、遮蔽板５９の大きさは第一導光板５４及び第二導光板５８のいずれよりも大きく、制御ユニット７０は、表示ユニット５０と表示ユニット５０との間の位置に設けられているため、遮蔽板５９により、第一導光板５４又は第二導光板５８を介して、制御ユニット７０が視認されることが無い。こうすることにより、美観に優れる。
【００６１】
そして更にまた、本体部１３０の側面に空気孔３４が設けられているため、本体部３０内部の水蒸気等を外部に排出することができ、本体部３０内で結露が生じる可能性を未然に低減することができる。また、空気孔３４は空気孔カバー３５で覆われているため、空気孔カバー３５で覆われていない場合と比較して、本体部１３０の内部に雨や埃等が侵入する可能性を未然に低減することができる。言い換えると、結露等の水が原因による電子部品の誤作動や故障が生じる可能性を未然に低減することができる。
【００６２】
加えて、蓋部４０に庇部４６が設けられているため、日中の屋外に配置した場合であっても、窓４４に太陽等の光が当たることで光が反射し、第一導光板５４又は第二導光板５８が見えにくくなる可能性を未然に低減することができる。
【００６３】
なお、本発明は上述した第一又は第二の実施形態に何ら限定されることはなく、本発明の技術的範囲に属する限り種々の態様で実施し得ることはいうまでもない。
【００６４】
例えば、上述した第一の実施の形態では、表示ユニット５０を本体部３０に取り付けるものとしたが、図８に示すように、蓋部４０の蓋部取付部材６９を介して、蓋部４０の内側面に取り付けても良い。なお、ここで、図８は、蓋部４０の一部を切り欠いた表示装置２０の構成の概略を示す斜視図である。このように、蓋部４０の裏面側に表示ユニット５０を取り付けることにより、第一の実施の形態のように、表示ユニット５０に開閉機構を設けることなく、蓋部４０を開放することができ、制御ユニット７０を操作することができる。
【００６５】
上述した第二の実施の形態では、表示ユニット１５０を蓋部４０に取り付けるものとしたが、図９に示すように、本体部３０の底面に複数の固定部材を櫓形状に組み立てることにより、本体部３０の底面に固定しても良い。こうすれば、第一の実施の形態と同様に、外部から振動が与えられた際に表示ユニット５０が振動したり共振したりする可能性を未然に防止することができる。
【００６６】
上述した第一又は第二の実施の形態では、第一導光板５４及び第二導光板５８は透過性を有するメタクリル樹脂製の板であるものとしたが、透過性を有する素材であればメタクリル樹脂製に限定されるものでなく、メチルメタクリレートやエチルメタクリレート等のメタクリル樹脂以外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【００６７】
上述した第一又は第二の実施の形態では、第一導光板５４は板状部材であるものとしたが、図９に示すように、第一導光板１５４及び第二導光板１５８の左側面及び右側面に中央部から両端部に向かうなだらかな傾斜面を有していてもよい。こうすれば、第一ＬＥＤ５１ａから照射された光が、第一導光板１５４の中央方向に集まりやすくなるため、中央部がより明るくなる。この結果、中央部に設けられた「入」の文字がより明るく光ることになり、視認性を向上させることができる。また、第一導光板１５４又は第二導光板１５８のいずれかのみ傾斜面を有するものとしてもよいし、第一導光板１５４又は第二導光板１５８の全ての側面に傾斜面を有していてもよいし、４方の側面のうちのいずれか１側面のみ傾斜面を有していてもよい。なお、図５は、他の実施の形態の表示ユニット２５０の構成の概略を示す斜視図であり、表示ユニット１５０と同様の構成については、同様の符号を付し、ここでは説明を省略する。
【００６８】
上述した第一又は第二の実施の形態では、第一導光板５４及び第二導光板５８の主面の外側（主面の窓４４に近い側）に略四角錐形状の第一拡散ドット５３及び第二拡散ドット５７を複数有するものとしたが、略四角錐形状に限定されるものではなく、略三角錐形状や角柱形状、半球形状等の種々の形状であってもよい。また、レーザー加工機やプロッターを用いて表面を加工してもよいし、スクリーン印刷やシルク印刷等によって凸状に加工してもよいし、あらかじめ凹凸が刻まれた金型を用いて射出成形で形成してもよい。いずれの場合であっても、上述した実施の形態と同様の効果が得られる。
【００６９】
上述した第一又は第二の実施の形態では、四角錐の底面に相当する面が内側（制御ユニット７０に近い側）に位置するように第一拡散ドット５３及び第二拡散ドット５７が第一導光板５４又は第二導光板５８に設けられるものとしたが、第一拡散ドット５３及び第二拡散ドット５７は反対側（窓４４に近い側）に設けられていても良いし、第一導光板５４又は第二導光板５８の両側面に設けられていてもよい。いずれの場合であっても、上述した実施の形態と同様の効果が得られる。
【００７０】
上述した第一又は第二の実施の形態では、第一拡散ドット５３及び第二拡散ドット５７は、全て同一の大きさでそれぞれ等間隔のピッチで設けられるものとしたが、第一拡散ドット５３は、第二拡散ドット５７よりも小さくしてもよい。第一拡散ドット５３を備えた第一導光板５４は、第二拡散ドット５７を備えた第二導光板５８よりも本体部３０又は本体部１３０の外側方向に配置されるため、第二拡散ドット５７を小さくすることにより、第一拡散ドット５３で拡散された光が、第二拡散ドット５７によって拡散される可能性を未然に低減することができる。言い換えると、第一拡散ドット５３で拡散された光が第二拡散ドット５７によって拡散され難くなるため、より第一拡散ドット５３が明確に見える。
【００７１】
上述した第一又は第二の実施の形態では、第一拡散ドット５３及び第二拡散ドット５７は、全て同一の大きさでそれぞれ等間隔のピッチで設けられるものとしたが、第一拡散ドット５３が設けられるピッチは、第二拡散ドットが設けられるピッチよりも大きくともよい。こうすれば、外部から第二導光板５８を視認した際、第一拡散ドット５３と第二拡散ドット５７とが重なる可能性を未然に低減することができ、第二拡散ドット５７で表される「切」の文字が見やすい。
【００７２】
上述した第一又は第二の実施の形態では、第一導光板５４の表面に「入」の文字の形に配置した第一拡散ドット５３を、第二導光板５８の表面に「切」の文字の形に配置した第二拡散ドット５７を、それぞれ有するものとしたが、これらの表示は「切」又は「入」に限定されるものではなく、目的に合わせて種々の文字の形にしてもよいし、無くてもよい。この場合も、上述した実施の形態と同様の効果が得られる。
【００７３】
上述した第一又は第二の実施の形態では、窓４４はガラス製であるものとしたが、無反射ガラスや反射防止ガラス、低反射ガラス、偏光ガラス、ノングレアガラス製等であってもよいし、光学フィルタや偏光フィルタを用いてもよいし、これらを複数組み合わせて用いても良い。具体的には、たとえは、無反射ガラスの表面に光学フィルタを貼着することで組み合わせても良いし、偏光ガラスとノングレアガラスを重ねて使用することで組み合わせても良いし、上方に偏光ガラスを配置して下方に反射防止ガラスを配置することで組み合わせても良いし、３種類以上を任意に組み合わせても良い。いずれの場合も、屋外等の周囲が明るい場所で使用した場合に、ガラス製である場合と比較して、第一導光板５４又は第二導光板５８の表示が外部の光（例えば、太陽光等）によって視認し難くなることを未然に防止又は軽減することができる。
【００７４】
上述した第一又は第二の実施の形態では、蓋部４０又は蓋部１４０の正面４２の外周部には、突出した庇部４６が設けられているものとしたが、庇部４６は無くともよい。外部からの光が窓４４に反射することで、第一導光板５４又は第二導光板５８が視認できなくなる場所に設置しない場合には、庇部４６が無くとも、上述した実施の形態と同様の効果が得られる。
【００７５】
上述した第一又は第二の実施の形態では、制御ユニット７０の回路には、複数の継電器（リレー）が設けられており、このリレーによって二つの第一ＬＥＤ５１ａ又は二つの第二ＬＥＤ５５ａのいずれかに電力を供給するものとしたが、二つの第一ＬＥＤ５１ａ又は二つの第二ＬＥＤ５５ａのいずれか一方に電力を供給することができればこの方法に限定されるものではなく、例えば、二つの第一ＬＥＤ５１ａ又は二つの第二ＬＥＤ５５ａのいずれか一方に外部から直接電力を供給しても良いし、制御ユニット７０が発電又は蓄電デバイスを有しており、この発電又は蓄電デバイスから供給された電力を二つの第一ＬＥＤ５１ａ又は二つの第二ＬＥＤ５５ａに供給しても良い。いずれの場合であっても、上述した実施の形態と同様の効果が得られる。
【００７６】
上述した第一又は第二の実施の形態では、制御ユニット７０は、本体部３０の両端側に設けられた表示ユニット５０と表示ユニット５０との間の位置に取り付けられているものとしたが、この場所に限定されるものではなく、例えば、第一ＬＥＤ基板５１又は第二ＬＥＤ基板５５の一方又は両方に設けられていても良いし、表示ユニット５０（表示ユニット１５０）の一方又は両方に設けられていても良い。いずれの場合も上述した実施の形態と同様の効果が得られる。
【００７７】
上述した第二の実施の形態では、角度調節部材１６０を本体部１３０に設けるものとしたが、角度調節部材１６０は、無くともよい。この場合であっても、表示装置１２０を取り付ける際に、予め所望の角度で表示ユニット５０を取り付けることで、上述した実施の形態と同様の効果が得られる。
【００７８】
上述した第一又は第二の実施の形態では、本体部３０の下面又は本体部１３０の側面に空気孔３４を設けるものとしたが、空気孔３４は無くともよい。この場合であっても、本体部３０の内部が結露しない環境であれば、上述した実施の形態と同様の効果が得られる。
【００７９】
上述した第一又は第二の実施の形態では、第一ＬＥＤ５１ａが赤色のＬＥＤであり、第二ＬＥＤ５５ａが緑色のＬＥＤであるものとしたが、この組み合わせに限定されるものではなく、第一ＬＥＤ５１ａと第二ＬＥＤ５５ａとが異なる色に発光する光源であれば、どのような組み合わせであってもよい。いずれの場合も、上述した実施の形態と同様の効果が得られる。
【産業上の利用可能性】
【００８０】
上述した実施の形態で示すように、情報の表示分野、特に、路線上に設置されることで、断路器の開閉状態を表示する表示装置として利用することができる。
【符号の説明】
【００８１】
２０、１２０…表示装置、３０、１３０…本体部、３２…ヒンジ、
３４…空気孔、３５…空気孔カバー、３６、１３６…止め部材、３８…電源貫通孔、
４０、１４０…蓋部、４２…正面、４４…窓、４６…庇部、
５０、１５０、２５０…表示ユニット、５１…第一ＬＥＤ基板、
５１ａ…第一ＬＥＤ、５２…ＬＥＤ固定部材、５３…第一拡散ドット、
５４、１５４…第一導光板、５５…第二ＬＥＤ基板、５５ａ…第二ＬＥＤ、
５７…第二拡散ドット、５８、１５８…第二導光板、５９…遮蔽板、
６０…放熱板、６２…第一固定部材、６４…第二固定部材、６５…ヒンジ、
６７…ビス、６８…第三固定部材、６９…蓋部取付部材、７０…制御ユニット、
１６０…角度調節部材、１６２…螺旋溝、１６４…把持部、１６６…押圧部。
【図１】
0005519759.tif 000002
【図２】
0005519759.tif 000003
【図３】
0005519759.tif 000004
【図４】
0005519759.tif 000005
【図５】
0005519759.tif 000006
【図６】
0005519759.tif 000007
【図７】
0005519759.tif 000008
【図８】
0005519759.tif 000009
【図９】
0005519759.tif 000010
【図１０】
0005519759.tif 000011